(57)【要約】【課題】  ホース２を人が背負った状態で、そのホースを繰り出しながら火元に走ることができ、ホース２が地面を引き摺ることがなく、また一人の消防士６で使用可能な可搬式放水装置を提供することを目的とする。【解決手段】  人が背負う収容部材８に、ホース２をその一端から繰出し可能に収容し、当該ホース２における繰出し可能な端末にポンプ４の吐出口に接続する接続金具１２を、前記ホース２の他端に放水ノズル５又は当該放水ノズル５に接続する接続金具１３を、それぞれ取り付ける。【選択図】          図１
2007105202.tif 000002
【特許請求の範囲】
【請求項１】
人が背負う収容部材（８）に、ホース（２）をその一端から繰出し可能に収容し、当該ホース（２）における繰出し可能な端末にポンプ（４）の吐出口に接続する接続金具（１２）を、前記ホース（２）の他端に放水ノズル（５）又は当該放水ノズル（５）に接続する接続金具（１３）を、それぞれ取り付けたことを特徴とする、可搬式放水装置
【請求項２】
前記収容部材（８）に、前記ホース（２）を、「８」字状に巻回した状態で収容したことを特徴とする、請求項１に記載の可搬式放水装置
【発明の詳細な説明】
【技術分野】
【０００１】
本発明は、ホースを収容して人が背負って運搬することができる放水装置に関するものであって、特に火災現場などにおいて、ホースの端末をポンプの吐出口に接続し、装置を人が背負って火元に移動し、そこで直ちに消火活動を行うことのできる放水装置に関するものである。
【背景技術】
【０００２】
従来火災などの際には、消防車に搭載した消防用ホースを展張し、その一端をポンプに接続し、他端にノズルを接続して、当該ノズルから棒状に放水することにより消火することが行われていた。
【０００３】
またそれと並行して、小口径の保形性を有する高圧ホースを、リールに巻いた状態で消防車に搭載しておき、このリールからホースを引き出して、火元近くから高圧で噴霧放水することも行われている。
【０００４】
図３（ａ）はこの消火方法を示すものであって、消防車１にホース２を巻いたリール３が搭載されており、そのホース２は消防車１のポンプ４に接続されており、そのホース２の先端には噴霧ノズル５が取り付けられている。
【０００５】
而して消防士６がその噴霧ノズル５を把持して、リール３からホース２を繰り出しながら火元に走り、ポンプ４のバルブを開き、さらに噴霧ノズル５に設けられたバルブを開いて、噴霧放水するのである。
【０００６】
しかしながらこの方法においては、消防士６がホース２をリール３から繰り出して、そのホース２を地面を引き摺りながら走ることとなるため、ホース２が傷付きやすいと共に、ホース２を引き摺るために大きな摩擦抵抗がかかる。
【０００７】
またホース２を引き出してからポンプ４のバルブを開かなければならないため、ポンプ４とホース２の筒先とに二人の消防士を必要とする。一人の消防士６がポンプ４のバルブを開いてから噴霧ノズル５を把持して走ることも可能であるが、この場合にはホース２内に水が入った状態で引き摺ることとなるため、さらに荷重が増大する。
【０００８】
またリール３に巻いた状態のホース２に水圧をかけると、リール３にはホース２を繰り出す方向への回転力が発生する。そのためその状態でホース２を引っ張ってリール３から繰り出すと、ホース２を引っ張るのをやめてもリール３は慣性で回転を続け、ホース２を過剰に繰り出してしまい、縺れたり作業の障害になることもある。
【０００９】
従ってホース２を必要なだけ繰り出した後に、ポンプ４のバルブを開くことが必要であり、多忙で危険な火災現場において、一時的に二人の消防士の手を必要とすることは好ましいことではない。
【特許文献１】特開２００１−８７４０８号
【発明の開示】
【発明が解決しようとする課題】
【００１０】
本発明はかかる事情に鑑みなされたものであって、ホース２を人が背負った状態で、そのホースを繰り出しながら火元に走ることができ、ホース２が地面を引き摺ることがなく、また予めポンプ４のバルブを開いた状態で火元に走ることも可能な、可搬式の放水装置を提供することを目的とするものである。
【課題を解決するための手段】
【００１１】
而して本発明は、人が背負う収容部材に、ホースをその一端から繰出し可能に収容し、当該ホースにおける繰出し可能な端末にポンプの吐出口に接続する接続金具を、前記ホースの他端に放水ノズル又は当該放水ノズルに接続する接続金具を、それぞれ取り付けたことを特徴とするものである。本発明においては、前記収容部材に、前記ホースを「８」字状に巻回した状態で収容することが好ましい。
【発明の効果】
【００１２】
本発明によれば、消防士が火元に走りながら、背負った収容部材からホースを繰り出すので、繰り出されたホースが地面を引き摺ることがなく、ホースが傷付くことがないと共に、過大な摩擦抵抗が生じることがない。
【００１３】
またホースをリールに巻いていないので、ホースに水圧がかかっても過剰に繰り出されることがない。そのためホースを背負った消防士がポンプのバルブを開いてから火元に走り、火元において噴霧ノズルのバルブを開いて放水することができ、一人の消防士のみで消火活動を行うことができる。
【発明を実施するための最良の形態】
【００１４】
図１及び図２は本発明の可搬式放水装置７を示すものであって、８はフレーム９の周囲を布１０で覆った収容部材であり、背負い紐１１によって消防士６が背中に背負うことができるようになっている。
【００１５】
そしてその収容部材８内には、ホース２が収容されている。ホース２は単純にコイル状に巻いた状態で収容することもできるが、図２に示すように、「８」字状に巻回した状態で収容するのが好ましい。
【００１６】
ホース２を単純にコイル状に巻いた状態では、そのホース２を収容部材８から繰り出したときにホース２に捩じれが加わり、ホース２を展張した状態で捩れたり蛇行したり絡まったりすることがあり、好ましくない。
【００１７】
これに対し前述のように、ホース２を「８」字状に巻回した状態で収容すると、これを繰り出したときには、ホース２に右周りの捩れと左周りの捩れとが短い周期で交互に加わるため、それらが相殺されてホース２が捩じれることがなく、スムーズに真っ直ぐに展張されるのである。
【００１８】
なお図２によれば、中央部の「８」字状の交差部においてホース２が交差するため、収容部材８内においてその中央部のホース２の重なり厚みが厚くなり、収容部材８内におけるホース２の収容形態が崩れる可能性がある。
【００１９】
そのような場合には、ホース２を収容部材８内において１〜数回「８」字状に巻回する部分と、収容部材８の内周に沿って単純に巻いた部分とを交互に重ねることにより、ホース２の収容形態が崩れるのを防止するのが好ましい。この場合において、ホース２を単純に巻いた部分は、右回りに巻いた部分と左回りに巻いた部分とを混在させることにより、ホース２を繰り出すときの捩じれが防止できる。
【００２０】
収容部材８に収容されたホース２は、その一端部を引っ張ることにより収容部材８の上部から繰り出すことができ、そのホース２の先端には、消防車１のポンプ４の吐出口に接続する接続金具１２が取り付けられている。
【００２１】
またホース２の他端は、収容部材８の下部から引き出されており、その先端には噴霧ノズル５に接続する接続金具１３が取り付けられている。なおホース２に直接噴霧ノズル５を取り付けることもできる。また噴霧ノズル５に代えて、棒状放水や泡放水用のノズルを使用することもできる。
【００２２】
而して本発明においては、消防士６が可搬式放水装置７の収容部材８を背負い、ホース２の接続金具１２をポンプ４に結合してポンプ４のバルブを開き、消防士６がそのまま火元に向かって走れば、ホース２は収容部材８の上部から順次繰り出される。繰り出されたホース２は地面に落ちるが、そのホース２が地面上を引き摺られることはなく、必要な長さは収容部材８から繰り出されることにより供給される。
【００２３】
そして図３（ｂ）に示すように接続金具１３に噴霧ノズル５を接続してバルブを開けば、直ちに噴霧放水することができる。消防士６は放水しながら位置を移動することも可能であり、また必要に応じて火元に向かって前進すれば、その分のホース２は収容部材８から繰り出されて補充される。
【００２４】
従って本発明によれば、消防士６が火元に走りながら、背負った収容部材８からホース２を繰り出すので、繰り出されたホース２が地面を引き摺ることがなく、ホース２が傷付くことがないと共に、過大な摩擦抵抗が生じることがない。
【００２５】
またホース２を収容部材８内に収容しているので、ホース２に水圧がかかってもリールのように過剰に繰り出されることがなく、ホース２が縺れたり作業の邪魔になったりすることがない。そのため一人の消防士６がポンプ４のバルブを開いてから火元に走り、火元において噴霧ノズル５のバルブを開いて放水することができ、一人の消防士のみで消火活動を行うことができる。
【００２６】
さらに請求項２の発明によれば、収容部材８内に収容されたホース２が収容部材８内で縺れたり絡まったりすることなく、スムーズに繰り出すことができると共に、繰り出されたホース２に捩じれが生じることがなく、スムーズに真っ直ぐに展張され、容易に消火活動を行うことができる。
【図面の簡単な説明】
【００２７】
【図１】本発明の可搬式放水装置の中央縦断面図
【図２】本発明の可搬式放水装置の平面図
【図３】噴霧放水による消火活動の状態を示すものであって、（ａ）は従来の装置を使用した場合を示し、（ｂ）は本発明の可搬式放水装置を使用した場合を示す。
【符号の説明】
【００２８】
２  ホース
４  ポンプ
５  ノズル
７  可搬式放水装置
８  収容部材
１２，１３  接続金具
【図１】
2007105202.tif 000003
【図２】
2007105202.tif 000004
【図３】
2007105202.tif 000005